(57)【特許請求の範囲】
【請求項１】
足首側からつま先へ向かって編成する五本指付き靴下の製造方法であって、
くるぶしから下方の踵部を編成する踵部編成工程と、
前記踵部に連続して、つま先に向かって足甲部および足裏部を有する足袋部を編成する足甲・裏部編成工程と、
前記足甲・裏部編成工程の後で、前記足袋部の足裏側から足甲側に向かって、第１〜第５指袋および各指袋の付根部を編成する足指袋編成工程と、
前記足指袋編成工程の後で、前記各指袋の付け根部の足甲側と前記足袋部の足甲側とを縫製または編成してリンキングラインを形成するリンキング工程と、を含み、
前記足甲・裏部編成工程は、つま先に向かって足甲部と足裏部とを編成している途中位置で、平面視で第１指袋側の靴下幅ラインを底辺とし第５指袋側の靴下幅ライン上または第５指袋側の靴下幅ラインへ向かう途中位置に鋭角の頂点が配置される三角状の楔部を、編目を増加させることで足甲部および足裏部のそれぞれに編成する楔部編成工程を含む、五本指付き靴下の製造方法。
【請求項２】
第１〜第５指袋のつま先先端から踵中心位置まで引いた第１〜第５ラインに対し、前記楔部の鋭角の頂点は、第１ライン上と第５指袋側の靴下幅ラインとの間に位置する、請求項１に記載の五本指付き靴下の製造方法。
【請求項３】
前記楔部編成工程は、前記楔部を、前記足袋部の内部に編成する、または前記足袋部のつま先側端部に編成する、請求項１または２に記載の五本指付き靴下の製造方法。
【請求項４】
足首側からつま先へ向かって編成する五本指付き靴下の製造方法であって、
くるぶしから下方の踵部を編成する踵部編成工程と、
前記踵部に連続して、つま先に向かって足甲部および足裏部を有する足袋部を編成する足甲・裏部編成工程と、
前記足甲・裏部編成工程の後で、前記足袋部の足裏側から足甲側に向かって、第１〜第５指袋および各指袋の付根部を編成する足指袋編成工程と、
前記足指袋編成工程の後で、前記各指袋の付け根部の足甲側と前記足袋部の足甲側とを縫製または編成してリンキングラインを形成するリンキング工程と、
少なくとも第４指袋および第５指袋に対応する位置の前記リンキングラインを踵方向へ傾斜または湾曲させるように、前記足甲部および足裏部の編目ラインのうち少なくとも第４指袋へ向かう編目ラインにツマミ（縫合部）を形成するツマミ形成工程と、を含む五本指付き靴下の製造方法。
【請求項５】
足甲・裏部編成工程は、足甲部および足裏部の編目ラインがつま先へ一定方向に向かうように編成され、
前記リンキング工程は、足幅方向に直線状のリンキングラインを形成し、
前記ツマミ形成工程は、前記足甲部および足裏部の前記編目ラインのうち少なくとも第４指袋へ向かう編目ラインをつま先方向から外側へ傾斜または湾曲させ、かつ少なくとも第４指袋および第５指袋に対応する位置の前記リンキングラインを踵方向へ傾斜または湾曲させるように、前記足甲部および足裏部の編目ラインのうち少なくとも第４指袋へ向かう編目ラインにツマミ（縫合部）を形成する、請求項４に記載の五本指付き靴下の製造方法。
【請求項６】
五本指付き靴下であって、
足甲部および足裏部を少なくとも有する足袋部と、
前記足甲部および足裏部のそれぞれのつま先側に設けられる、平面視で第１指側の靴下幅ラインを底辺とし第５指袋側の靴下幅ライン上または第５指袋側の靴下幅ラインへ向かう途中位置に配置される鋭角の頂点とした三角状の楔部と、
少なくとも第４指袋および第５指袋の付根位置が、少なくとも第１指袋および第２指袋の付根位置よりも、踵方向へ傾斜または湾曲している第１〜第５指袋と、
少なくとも第４指袋および第５指袋の付根位置が、少なくとも第１指袋および第２指袋の付根位置よりも、踵方向へ傾斜または湾曲しているように、隣り合う各指袋の付け根部分が連設されている付根部と、
前記付根部と前記足袋部の足甲側とが連設される位置にあるリンキングラインであって、少なくとも第４指および第５指に対応する位置において、少なくとも第１指および第２指に対応する位置よりも、踵方向へ傾斜または湾曲している形状のリンキングラインと、を有する五本指付き靴下。
【請求項７】
第１〜第５指袋のつま先先端から踵中心位置まで引いた第１〜第５ラインに対し、前記楔部の鋭角の頂点は、第１ライン上と第５指袋側の靴下幅ラインとの間に位置する、請求項６に記載の五本指付き靴下。
【請求項８】
前記楔部を、前記足袋部の内部に設ける、または前記足袋部のつま先側端部に設ける、請求項６または７に記載の五本指付き靴下。
【請求項９】
五本指付き靴下であって、
足甲部および足裏部を少なくとも有する足袋部と、
前記足袋部に形成されている編目ラインであって、つま先方向へ向かう一定方向の第１編目ラインと、つま先方向から外側へ傾斜または湾曲している第２編目ラインと、
前記第１編目ラインに沿ってつま先に向かって同一方向を向く指袋と、前記第２編目ラインに沿ってつま先方向から外側に傾斜または湾曲する指袋とを有する５本指袋と、
隣り合う各指袋の付け根部分が連設されている付根部と、
前記付根部と前記足甲部とが連設される位置にあるリンキングラインであって、少なくとも第４指袋および第５指袋に対応する位置において、少なくとも第１指袋および第２指袋に対応する位置よりも、踵方向へ傾斜または湾曲している形状のリンキングラインと、
前記第１編目ラインと前記第２編目ラインとの境界に、つま先方向から外側へ傾斜または湾曲している形状のツマミ（縫合部）と、を有する五本指付き靴下。
【発明の詳細な説明】
【技術分野】
【０００１】
本発明は、五本指付き靴下および五本指付き靴下の製造方法に関する。
【背景技術】
【０００２】
従来から五本指の指袋がつま先に向かって平行に延び、そして隣り合う指袋の付け根位置（あるいはリンキングライン）が足幅方向(左右方向)に直線状に延びる五本指付き靴下がある（例えば、図４の従来例の五本指付き靴下を参照）。このような形状の五本指付き靴下は、靴下製造に用いられる丸編み機あるいは横編み機で簡単に製造できるため、大量生産、短時間生産にも優れている。しかしながら、このような形状の五本指付き靴下は、スクエア型の足形（付け根位置が左右に略直線状になっている足形）をもつユーザに対しては問題ないが、他の足形のユーザ（例えば、エジプト型、ギリシャ型など）にとっては、フィット性が低く、長時間の履き心地が悪く、限られた空間の靴内において指の動きをより制限してしまう。
【０００３】
また、本発明者等の調査によれば、第４、第５指の指の付け根が、他の指の付け根よりも踵方向に引っ込んでいる形状がある（図１の足の平面図を参照）。従って、スクエア型に適した五本指付き靴下の場合、靴下の指の付け根位置と実際の足の付け根位置とが合わずに指袋が浮いた状態となり、小指および／または薬指が、それらに対応する指袋から脱げ易い。
【０００４】
他の指の付け根よりも踵側へ一段低い位置の付け根の薬指と、さらに一段低い位置の付け根の小指の形状に合わせるべく、親指用指袋、人指し指用指袋、中指用指袋が夫々筒状に編成された後、各指袋の隣接する付け根部分が重合された状態にし、該重合された各指袋の付け根部分に筒状の三本胴の編み地を形成してから、これに隣接する薬指用指袋及び小指用指袋を編成し、その隣接する付け根部分を重合させた状態で編成したことを特徴とする指付き靴下の編成方法が、特許文献１に紹介されている。この特許文献１は、横編機のみを使用して指袋を形成し連続して足甲部および足裏部を編成している。しかし、横編機では、複雑な柄出しが難しい。
【０００５】
複雑な柄だしが可能な丸編み機のみで五本指靴下を編成する方法が、例えば特許文献２に紹介されている。特許文献２は、第五趾側より編成することから、だぶつきが主に第五趾側に生じることになる。そして第五趾を覆う袋部は、第一趾を覆う袋部よりも狭幅であることから、先がかりに伴うだぶつき、見た目の悪さを少なくできると記載されている。しかし特許文献２では、図５（特許文献２の図２）に示す通り、先がかり処理で形成されるリンキングラインおよび各指袋の付根が足幅方向(左右方向)に直線で形成されているため、上記問題（薬指と小指が脱げ易い）を解決することができない。
【先行技術文献】
【特許文献】
【０００６】
【特許文献１】特許第３００４２００号
【特許文献２】特許２００６−３４８４２８号公報
【発明の概要】
【発明が解決しようとする課題】
【０００７】
本発明は、上記実情に鑑みてなされたものであって、薬指と小指がそれぞれの指袋から脱げ難く、かつ特許文献１のような編成とは異なる方法で薬指および小指の指袋を他の指袋よりも踵方向に引っ込めて、かつ少なくとも薬指および小指の指袋が踵方向へ傾斜または湾曲した状態にできる五本指付き靴下の製造方法を提供することを目的とする。また、足袋部のつま先側に楔部を有して、薬指および小指の指袋を他の指袋よりも踵方向に引っ込め、かつ少なくとも薬指および小指の指袋が踵方向へ傾斜または湾曲した状態の五本指付き靴下を提供することを目的とする。また、つま先方向を向く編目ラインとつま先方向とは異なる外側（小指側方向）に向く編目ラインを有して、薬指および小指の指袋を他の指袋よりも踵方向に引っ込め、かつ少なくとも薬指および小指の指袋が踵方向へ傾斜または湾曲した状態の五本指付き靴下を提供することを目的とする。
【課題を解決するための手段】
【０００８】
本発明の第１の製造方法は、足首側からつま先へ向かって編成する五本指付き靴下の製造方法であって、
くるぶしから下方の踵部を編成する踵部編成工程と、
前記踵部に連続して、つま先に向かって足甲部および足裏部を有する足袋部を編成する足甲・裏部編成工程と、
前記足甲・裏部編成工程の後で、前記足袋部の足裏側から足甲側に向かって、第１〜第５指袋および各指袋の付根部を編成する足指袋編成工程と、
前記足指袋編成工程の後で、前記各指袋の付け根部の足甲側と前記足袋部の足甲側とを縫製または編成してリンキングラインを形成するリンキング工程と、を含み、
前記足甲・裏部編成工程は、つま先に向かって足甲部と足裏部とを編成している途中位置で、平面視で第１指袋側の靴下幅ラインを底辺とし第５指袋側の靴下幅ライン上または第５指袋側の靴下幅ラインへ向かう途中位置に鋭角の頂点が配置される三角状の楔部を、編目を増加させることで足甲部および足裏部のそれぞれに編成する楔部編成工程を含む。
【０００９】
この構成によれば、特許文献１のような編成とは異なる方法で、足袋部のつま先側に楔部を設けた五本指付き靴下を製造する。この靴下は、薬指および小指の指袋を他の指袋よりも踵方向に引っ込めて、かつ少なくとも薬指および小指の指袋がリンキングラインと同様に踵方向へ傾斜または湾曲させてあることで、薬指と小指とがそれぞれの指袋から脱げにくくできる。
【００１０】
上記「つま先に向かって足甲部と足裏部とを編成している途中位置」は、足を、後足部（踵部）、中足部（踏まず部）、前足部（踏み付け部）、足指に分けたときに、前足部の領域内に相当する靴下の領域である（図１参照）。
上記「平面視で第１指袋側の靴下幅ラインを底辺とし第５指袋側の靴下幅ライン上または第５指側の靴下幅ラインへ向かう途中位置に鋭角の頂点が配置される三角状の楔部」において、楔部は、厳密な三角状でなく、各辺が直線でなく湾曲部を有していてもよく、頂点が丸みを帯びていてもよい。また、足甲部と足裏部とのそれぞれに楔部を編成するが、足甲部の甲側楔部と、足裏部の裏側楔部は、同じ形状でもよく、異なる形状でもよい。
【００１１】
上記発明の一実施形態として、第１〜第５指袋のつま先先端から踵中心位置まで引いた第１〜第５ラインに対し、前記楔部の鋭角の頂点は、第１ラインよりも第５ライン側、第２ラインより第５ライン側、第３ラインよりも第５ライン側、第４ライン側よりも第５ライン側、第５ラインから第５指袋側の靴下幅ラインの間または第１〜第５ライン上のうちいずれかのライン上、に位置する（例えば、図２Ａ参照）。
【００１２】
上記発明の一実施形態として、前記楔部編成工程は、前記楔部を、前記足袋部の内部（つま先側端部よりも踵側の位置）に編成する。足袋部は、踵側足袋部と楔部とつま先側足袋部とで構成され、例えば、つま先側足袋部の裏側と各指袋の付根部の裏側とが連設され、つま先側足袋部の甲側と各指袋の付根部の甲側とがリンキングされる。
【００１３】
上記発明の一実施形態として、前記楔部は、前記足袋部のつま先側端部に編成する。裏側楔部と各指袋の付根部の裏側とが連設され、甲側楔部と各指袋の付根部の甲側とがリンキングされる。
【００１４】
本発明の第２の製造方法は、足首側からつま先へ向かって編成する五本指付き靴下の製造方法であって、
くるぶしから下方の踵部を編成する踵部編成工程と、
前記踵部に連続して、つま先に向かって足甲部および足裏部を有する足袋部を編成する足甲・裏部編成工程と、
前記足甲・裏部編成工程の後で、前記足袋部の足裏側から足甲側に向かって、第１〜第５指袋および各指袋の付根部を編成する足指袋編成工程と、
前記足指袋編成工程の後で、前記各指袋の付け根部の足甲側と前記足袋部の足甲側とを縫製または編成してリンキングラインを形成するリンキング工程と、
少なくとも第４指袋および第５指袋に対応する位置の前記リンキングラインを踵方向へ傾斜または湾曲させるように、前記足甲部および足裏部の編目ラインのうち少なくとも第４指袋へ向かう編目ラインにツマミ（縫合部）を形成するツマミ形成工程と、を含む。
【００１５】
この構成によれば、特許文献１のような編成とは異なる方法で、つま先方向を向く編目ラインとつま先方向とは異なる外側（小指袋側方向）に向く編目ラインを有する五本指付き靴下を製造する。この靴下は、薬指および小指の指袋を他の指袋よりも踵方向に引っ込めて、かつ少なくとも薬指および小指の指袋がリンキングラインと同様に踵方向へ傾斜または湾曲させてあることで、薬指と小指とがそれぞれの指袋から脱げにくくできる。
【００１６】
上記発明の一実施形態として、足甲・裏部編成工程は、足甲部および足裏部の編目ラインがつま先へ一定方向に向かうように編成され、
前記リンキング工程は、足幅方向に直線状のリンキングラインを形成し、
前記ツマミ形成工程は、前記足甲部および足裏部の前記編目ラインのうち少なくとも第４指袋へ向かう編目ラインをつま先方向から外側へ傾斜または湾曲させ、かつ少なくとも第４指袋および第５指袋に対応する位置の前記リンキングラインを踵方向へ傾斜または湾曲させるように、前記足甲部および足裏部の編目ラインのうち少なくとも第４指袋へ向かう編目ラインにツマミ（縫合部）を形成する。
【００１７】
上記発明の一実施形態として、各指袋の付根部は、隣り合う各指の付根部分が足幅方向（左右方向）に直線状に連設されている。
【００１８】
「編目ラインをつま先方向から外側へ傾斜または湾曲させ」るとは、右足用靴下であれば右回り方向に傾斜または湾曲させることであり、左用靴下であれば左回り方向に傾斜または湾曲させることである。
また、「リンキングラインを踵方向へ傾斜または湾曲させる」とは、右足用靴下であれば右回り方向に傾斜または湾曲させることであり、左用靴下であれば左回り方向に傾斜または湾曲させることである。
【００１９】
上記発明の一実施形態として、前記ツマミ形成工程は、前記足甲部および足裏部の編目ラインのうち少なくとも第４指へ向かう編目ラインの途中位置にツマミ（縫合部）を形成する。
【００２０】
上記第２の製造方法において、編目ラインの方向を変更するためのツマミ（縫合部）は、靴下サイズ、指袋のサイズ、足形に合せた指袋の形状によって設定する。ツマミ（縫合部）の位置およびサイズは、特に制限されず、例えば、第４指袋へ向かう編目ラインのすべてにツマミ（縫合部）が形成されていてもよく、その一部にツマミ（縫合部）が形成されていてもよい。またツマミ（縫合部）は、一つに限定されず複数のツマミ（縫合部）が形成されていてもよい。
【００２１】
上記第２の製造方法の一実施形態として、前記ツマミ形成工程は、第３指袋および第４指袋へ向かう編目ラインにツマミ（縫合部）を形成してもよい。係る場合に、第３指袋へ向かう編目ラインに形成するツマミ（縫合部）と、第４指袋へ向かう編目ラインに形成するツマミ（縫合部）とは、連続した線のツマミ（縫合部）であってもよく、それぞれが独立に分離した複数のツマミ（縫合部）であってもよい。また、第３指袋および第４指袋へ向かう編目ラインのすべてにツマミ（縫合部）が形成されていてもよく、その一部にツマミ（縫合部）が形成されていてもよい。例えば、第３指袋へ向かう編目ライン群のうち第４指袋側の５％〜９０％の編目ライン群と、第４指袋へ向かう編目ライン群の全てにツマミが形成されていてもよい。
【００２２】
上記第２の製造方法の一実施形態として、前記ツマミ形成工程は、第４指袋および第５指袋へ向かう編目ラインにツマミ（縫合部）を形成してもよい。係る場合に、第４指袋へ向かう編目ラインに形成するツマミ（縫合部）と、第５指袋へ向かう編目ラインに形成するツマミ（縫合部）とは、連続した線のツマミ（縫合部）であってもよく、それぞれが独立に分離した複数のツマミ（縫合部）であってもよい。また、第４指袋および第５指袋へ向かう編目ラインのすべてにツマミ（縫合部）が形成されていてもよく、その一部にツマミ（縫合部）が形成されていてもよい。例えば、第５指袋へ向かう編目ライン群のうち第４指袋側の１０％〜５０％の編目ライン群と、第４指袋へ向かう編目ライン群の全てにツマミが形成されていてもよい。
【００２３】
上記第２の製造方法の一実施形態として、前記ツマミ形成工程は、第３指袋、第４指袋および第５指袋へ向かう編目ラインにツマミ（縫合部）を形成してもよい。係る場合に、第３指袋へ向かう編目ラインに形成するツマミ（縫合部）と、第４指袋へ向かう編目ラインに形成するツマミ（縫合部）と、第５指袋へ向かう編目ラインに形成するツマミ（縫合部）とは、連続した線のツマミ（縫合部）であってもよく、それぞれが独立に分離した複数のツマミ（縫合部）であってもよい。また、第３指袋、第４指袋および第５指袋へ向かう編目ラインのすべてにツマミ（縫合部）が形成されていてもよく、その一部にツマミ（縫合部）が形成されていてもよい。例えば、第５指袋へ向かう編目ライン群のうち第４指袋側の１０％〜５０％の編目ライン群と、第４指袋へ向かう編目ライン群の全てと、第３指袋へ向かう編目ライン群のうち第４指袋側の１０％〜５０％の編目ライン群とにツマミが形成されていてもよい。
【００２４】
上記第１、第２の製造方法は、例えば、丸編み機を用いて、各工程を行うことができる。第２の製造方法において、ツマミ(縫合部)は、リンキングをした後で、裏側から生地をミシンでオーバーロックしてつまむことで形成できる。
【００２５】
また、他の本発明の五本指付き靴下は、
足甲部および足裏部を少なくとも有する足袋部と、
前記足甲部および足裏部のそれぞれのつま先側に設けられる、平面視で第１指側の靴下幅ラインを底辺とし第５指袋側の靴下幅ライン上または第５指袋側の靴下幅ラインへ向かう途中位置に配置される鋭角の頂点とした三角状の楔部と、
少なくとも第４指袋および第５指袋の付根位置が、少なくとも第１指袋および第２指袋の付根位置よりも、踵方向へ傾斜または湾曲している第１〜第５指袋と、
少なくとも第４指袋および第５指袋の付根位置が、少なくとも第１指袋および第２指袋の付根位置よりも、踵方向へ傾斜または湾曲しているように、隣り合う各指袋の付け根部分が連設されている付根部と、
前記付根部と前記足袋部の足甲側とが連設される位置にあるリンキングラインであって、少なくとも第４指および第５指に対応する位置において、少なくとも第１指および第２指に対応する位置よりも、踵方向へ傾斜または湾曲している形状のリンキングラインと、を有する。
【００２６】
この構成によれば、足袋部のつま先側に楔部を有して、薬指および小指の指袋を他の指袋よりも踵方向に引っ込め、かつ少なくとも薬指および小指の指袋が踵方向へ傾斜または湾曲した状態の五本指付き靴下としたことで、薬指と小指とがそれぞれの指袋から脱げにくくできる。
【００２７】
「踵方向へ傾斜または湾曲している形状のリンキングライン」とは、右足用靴下であれば右回り方向に傾斜または湾曲している形状のリンキングラインであり、左用靴下であれば左回り方向に傾斜または湾曲している形状のリンキングラインである。
【００２８】
上記発明の一実施形態において、第１〜第５指袋のつま先先端から踵中心位置まで引いた第１〜第５ラインに対し、前記楔部の鋭角の頂点は、第１ラインよりも第５ライン側、第２ラインより第５ライン側、第３ラインよりも第５ライン側、第４ライン側よりも第５ライン側、第５ラインから第５指袋側の靴下幅ラインの間または第１〜第５ライン上のうちいずれかのライン上、に位置する（例えば、図２Ａ参照）。
【００２９】
上記発明の一実施形態として、前記楔部は、前記足袋部の内部（つま先側端部よりも踵側）に位置する。足袋部は、踵側足袋部と楔部とつま先側足袋部とで構成され、例えば、つま先側足袋部の裏側と各指袋の付根部の裏側とが連続しており、つま先側足袋部の甲側と各指袋の付根部の甲側との間にリンキングラインが位置する。
【００３０】
上記発明の一実施形態として、前記楔部は、前記足袋部のつま先側端部に位置する。裏側楔部と各指袋の付根部の裏側とが連続しており、甲側楔部と各指袋の付根部の甲側との間にリンキングラインが位置する。
【００３１】
また、他の本発明の五本指付き靴下は、
足甲部および足裏部を少なくとも有する足袋部と、
前記足袋部に形成されている編目ラインであって、つま先方向へ向かう一定方向の第１編目ラインと、つま先方向から外側へ傾斜または湾曲している第２編目ラインと、
前記第１編目ラインに沿ってつま先に向かって同一方向を向く指袋と、前記第２編目ラインに沿ってつま先方向から外側に傾斜または湾曲する指袋とを有する５本指袋と、
隣り合う各指袋の付け根部分が連設されている付根部と、
前記付根部と前記足甲部とが連設される位置にあるリンキングラインであって、少なくとも第４指袋および第５指袋に対応する位置において、少なくとも第１指袋および第２指袋に対応する位置よりも、踵方向へ傾斜または湾曲している形状のリンキングラインと、
前記第１編目ラインと前記第２編目ラインとの境界に、つま先方向から外側へ傾斜または湾曲している形状のツマミ（縫合部）と、を有する。
【００３２】
この構成によれば、つま先方向を向く編目ラインとつま先方向とは異なる外側（小指側方向）に向く編目ラインを有して、薬指および小指の指袋を他の指袋よりも踵方向に引っ込め、かつ少なくとも薬指および小指の指袋が踵方向へ傾斜または湾曲した状態の五本指付き靴下としたことで、薬指と小指とがそれぞれの指袋から脱げにくくできる。
【００３３】
「踵方向へ傾斜または湾曲している形状のリンキングライン」とは、右足用靴下であれば右回り方向に傾斜または湾曲している形状のリンキングラインであり、左用靴下であれば左回り方向に傾斜または湾曲している形状のリンキングラインである。
【００３４】
上記発明の一実施形態において、リンキングラインは、第３指袋、第４指袋および第５指袋に対応する位置において、第１指袋および第２指袋に対応する位置よりも、踵方向へ傾斜または湾曲している形状である。
【００３５】
上記発明の一実施形態において、第２編目ラインは、すべてのラインが同一方向を向いている構成でもよく、爪先方向から外側へ傾斜または湾曲していればよく、それぞれのラインが異なる方向を向いていたり、異なる形状、長さのラインであってもよい。
【００３６】
上記発明の一実施形態において、第２編目ラインは、第３指袋〜第５指袋に向かう編目ラインの全てまたはそのうちの一部を含んでいいてもよく、例えば、第３指袋に向かう編目ラインの一部と第４指袋に向かう編目ラインの全てと第５指袋へ向かう編目ラインの一部を含んでいてもよい。
【００３７】
ツマミ（縫合部）は、一つに限定されず複数のツマミ（縫合部）が形成されていてもよい。「つま先方向から外側へ傾斜または湾曲している形状」は、右足用靴下であれば右回り方向に傾斜または湾曲している形状であり、左用靴下であれば左回り方向に傾斜または湾曲している形状である。
【００３８】
上記発明の一実施形態において、前記足部は、踵部を有する。
【００３９】
上記発明の一実施形態において、前記足部に連設される下肢部をさらに有する。
【００４０】
上記靴下の生地は、各種加工処理（例えば、透湿防水加工、撥水加工、反発加工、抗菌防臭加工、吸水加工、難燃加工等）も適宜施されていてもよい。
【００４１】
上記靴下の生地は、例えば、ポリエステル、ナイロン等の合成繊維でもよく、天然繊維でもよい。生地は、１種類の繊維で構成されていてもよく、複数種類の繊維の組み合わせで構成されていてもよい。また、生地の原糸（繊維）自体に上記各種加工処理が施されていてもよい。
【図面の簡単な説明】
【００４２】
【図１】足の形状（各指の付け根位置）を示す図である。
【図２Ａ】足袋部の楔部の配置を説明する図である。
【図２Ｂ】足袋部の楔部の配置を説明する図である。
【図３Ａ】ツマミ（縫製部）について説明する図である。
【図３Ｂ】ツマミ（縫製部）について説明する図である。
【図４】従来例の五本指付き靴下の平面図である。
【図５】特許文献２の図２である。
【発明を実施するための形態】
【００４３】
本発明者らは、図１に示すように、薬指（第４指）および小指（第５指）の付け根位置が他の指（第１〜第３指）の付け根位置よりも踵側に引っ込んでいる足形の付け根ラインＬ１、Ｌ２に着目し、この足形に適した五本指付き靴下について鋭意研究し、特許文献１のような製造方法と異なる五本指付き靴下の製造方法および五本指付き靴下の発明を創作するに至ったものである。
【００４４】
（第１の製造方法：楔部を形成する方法）
本実施形態における製造方法は、以下の工程を含む。
（Ｓ１）くるぶしから下方の踵部を編成する（踵部編成工程）。
（Ｓ２−１）踵部に連続して、つま先に向かって足甲部および足裏部を有し、かつ、つま先方向に開口部を有する足袋部を編成する（足甲・裏部編成工程）。足甲・裏部編成工程は楔部編成工程を含む。
【００４５】
（Ｓ２−２）楔部編成工程は、つま先に向かって足甲部と足裏部とを編成している途中位置で、平面視で第１指袋側の靴下幅ラインＷ１を底辺Ｔ１とし第５指袋側の靴下幅ラインＷ２へ向かう途中位置に鋭角の頂点Ｔ２が配置される三角状の楔部Ｔを、編目を増加させることで足甲部および足裏部のそれぞれに編成する。本実施形態では、図２Ｂに示すように、踵側からラインＡ０−Ａ０を超えてつま先側にＡ１−Ａ１ライン（前足部の領域内：途中位置）まで足甲部および足裏部を通常通り足幅になるように編成する。次いで、Ａ１−Ａ１ラインからＡ１１−Ａ１ラインまで、第３指から第１指側において三角状の楔部Ｔを形成するように編目を増加（変更）する。楔部Ｔの底辺Ｔ１の長さおよび頂点Ｔ２の位置で、傾斜または湾曲の程度を設定できる。第１〜第２指袋（Ｆ１〜Ｆ５）のつま先先端から踵中心位置Ｆ０まで引いた第１〜第５ライン（Ｆ０−Ｆ１ライン、Ｆ０−Ｆ２ライン、Ｆ０−Ｆ３ライン、Ｆ０−Ｆ４ライン、Ｆ０−Ｆ５ライン）のうち、頂点Ｔ２は、第３ライン（Ｆ０−Ｆ３ライン）と第４ライン（Ｆ０−Ｆ４ライン）の間に位置する。次いで、Ａ１１−Ａ１ラインからＡ２−Ａ２ラインまでは、通常の通り足幅（第１指〜第５指）で編成する。すなわち、楔部Ｔは、足袋部の内部（つま先側端部よりも踵側の位置）に編成される。
【００４６】
（Ｓ３）足甲・裏部編成工程の後で、足袋部の足裏側から足甲側に向かって、第１〜第５指袋（Ｆ１〜Ｆ５）および各指袋の付根部ＦＢを編成する（足指袋編成工程）。
（Ｓ４）足指袋編成工程の後で、各指袋の付根部ＦＢの足甲側と足袋部の足甲側とを縫製または編成してリンキングラインＭを形成する（リンキング工程）。図２Ａに示すように、リンキングラインＭは、第３指袋〜第５指袋の位置に対応する位置において踵方向へ傾斜または湾曲させている。そして、第３〜第５指袋（Ｆ３〜Ｆ５）を他の指袋（Ｆ１、Ｆ２）よりも踵方向に引っ込めて、かつ第３指〜第５指袋（Ｆ３〜Ｆ５）がリンキングラインＭと同様に踵方向へ傾斜または湾曲させてある。
【００４７】
上記工程は全て丸編み機で行うことができる。別実施形態として、足指袋編成工程のみ横編み機で行い、他工程は丸編み機で行うこともできる。また、リンキング工程は、リンキング専用機を用いることもできる。
【００４８】
（第２の製造方法：編目ラインにツマミ（縫合部）を形成する方法）
本実施形態における製造方法は、以下の工程を含む。
（Ｓ１１）くるぶしから下方の踵部を編成する（踵部編成工程）。
（Ｓ１２）踵部に連続して、つま先に向かって足甲部および足裏部を有する足袋部を編成する（足甲・裏部編成工程）。足甲・裏部編成工程は、足甲部および足裏部の編目ラインＮがつま先へ一定方向に向かうように編成される。
（Ｓ１３）足甲・裏部編成工程の後で、足袋部の足裏側から足甲側に向かって、第１〜第５指袋および各指袋の付根部を編成する（足指袋編成工程）。
（Ｓ１４）足指袋編成工程の後で、各指袋の付根部の足甲側と足袋部の足甲側とを縫製または編成してリンキングラインＭ１を形成する（リンキング工程）。本実施形態では、図３Ａに示すように、足幅方向に直線状のリンキングラインＭ１を形成する。
（Ｓ１５）少なくとも第４指袋および第５指袋に対応する位置のリンキングラインＭ１を踵方向へ傾斜または湾曲させるように、足甲部および足裏部の編目ラインＮのうち少なくとも第４指袋へ向かう編目ラインにツマミ（縫合部）Ｚを形成する（ツマミ形成工程）。本実施形態では、図３Ａに示すように、第３指袋〜第５指袋へ向かう編目ラインＮ１に対し、リンキングラインＭ１へ向かう途中位置（足袋部のつま先側端部までの領域内）で直線状のツマミ（縫合部）Ｚを１つ形成する。ツマミ(縫合部)Ｚは、図３Ａ、Ｂに示すように、生地裏側から生地ラインＮ１１と生地ラインＮ１２とが重なるように、生地をミシンでオーバーロックしてつまむことで形成できる。足甲側と足裏側のそれぞれにツマミを形成する。ツマミ形成によって、爪先方向へ向かう一定方向の編目ラインＮ（第１編目ライン）と、爪先方向から外側へ傾斜または湾曲している第２編目ラインＮ２とが形成される。
【００４９】
このように、つま先方向に一直線の編目ラインＮに対し斜め方向にツマミ（縫合部）Ｚを形成することで、直線状のリンキングラインＭ１を踵方向へ傾斜または湾曲させ、薬指および小指の指袋を他の指袋よりも踵方向に引っ込める構成にできる。
【００５０】
上記工程（ツマミ形成工程を除く）は全て丸編み機で行うことができる。別実施形態として、足指袋編成工程のみ横編み機で行い、他工程は丸編み機で行うこともできる。また、リンキング工程は、リンキング専用機を用いることもできる。
【００５１】
（別実施形態）
上記第１の製造方法および第２の製造方法は、足部形成工程は、下肢部を編成し、次いで、踵部を編成し、次いで、足甲部および足裏部を編成する構成でもよい。
【００５２】
上記第２の製造方法において、編目ラインの方向を変更するためのツマミ（縫合部）は、その位置およびサイズは、特に制限されず、例えば、第３〜第５指へ向かう編目ラインのすべてにツマミ（縫合部）が形成されていてもよく、その一部にツマミ（縫合部）が形成されていてもよい。またツマミ（縫合部）は、一つに限定されず複数のツマミ（縫合部）が形成されていてもよい。
【００５３】
（五本指付き靴下）
第１の五本指付き靴下は、足甲部および足裏部を少なくとも有する足袋部と、前記足甲部および足裏部のそれぞれのつま先側に設けられる、平面視で第１指袋側の靴下幅ラインＷ１を底辺Ｔ１とし第５指袋側の靴下幅ラインＷ２上または第５指袋側の靴下幅ラインＷ２へ向かう途中位置に配置される鋭角の頂点Ｔ１とした三角状の楔部Ｔと、少なくとも第４指袋および第５指袋の付根位置が、少なくとも第１指および第２指の付根位置よりも、踵方向へ傾斜または湾曲している第１〜第５指袋（Ｆ１〜Ｆ５）と、少なくとも第４指袋および第５指袋の付根位置が、少なくとも第１指袋および第２指袋の付根位置よりも、踵方向へ傾斜または湾曲しているように、隣り合う各指袋の付根部分が連接される付根部ＦＢと、前記付根部ＦＢと前記足袋部の足甲側とが連設される位置にあるリンキングラインＭであって、少なくとも第４指袋および第５指袋に対応する位置において、少なくとも第１指袋および第２指袋に対応する位置よりも、踵方向へ傾斜または湾曲している形状のリンキングラインＭと、を有する。頂点Ｔ２は、第３ライン（Ｆ０−Ｆ３ライン）と第４ライン（Ｆ０−Ｆ４ライン）の間に位置する。リンキングラインＭは、第３〜第５指袋の位置に対応する位置において踵方向へ傾斜または湾曲している。第３〜第５指袋（Ｆ３〜Ｆ５）を他の指袋（Ｆ１、Ｆ２）よりも踵方向に引っ込めて、かつ第３〜第５指袋（Ｆ３〜Ｆ５）がリンキングラインＭと同様に踵方向へ傾斜または湾曲している（図２Ａ，２Ｂ参照）。
【００５４】
第２の五本指付き靴下は、足甲部および足裏部を少なくとも有する足袋部と、足袋部に形成されている編目ラインであって、つま先方向へ向かう一定方向の第１編目ラインＮと、つま先方向から外側へ傾斜または湾曲している第２編目ラインＮ２と、第１編目ラインＮに沿ってつま先に向かって同一方向を向く指袋（Ｆ１、Ｆ２）と、第２編目ラインＮ２に沿ってつま先方向から外側に傾斜または湾曲する指袋（Ｆ３、Ｆ４，Ｆ５）とを有する５本指袋と、隣り合う各指袋の付根部分が連設される付根部と、付根部と足甲部とが連設される位置にあるリンキングラインＭ１であって、第３〜第５指袋に対応する位置において、少なくとも第１指袋および第２指袋に対応する位置よりも、踵方向へ傾斜または湾曲している形状のリンキングラインＭ１と、第１編目ラインＮと第２編目ラインＮ２との境界に、つま先方向から外側へ傾斜または湾曲している形状のツマミ（縫合部）Ｚと、を有する（図３Ｂ参照）。ツマミＺは、足甲側と足裏側のそれぞれに設けられている。
【００５５】
本実施形態において、ツマミ（縫合部）を足甲部の第１編目ラインと第２編目ラインとの境界にツマミ（縫合部）とを設けてあるが、これは上記第２の製造方法で形成することができる。足甲部と足裏部の両方において、第１編目ラインと第２編目ラインとの境界にツマミ（縫合部）を設ける場合に、平面視で透過してみた場合に対称の位置にツマミを設けてもよく、異なる位置に設けてあってもよい。また、甲側のツマミと足裏側のツマミとは、その形状および／またはそのサイズがお互いに異なっていてもよい。
【符号の説明】
【００５６】
Ｆ０      靴下の踵部中心箇所
Ｆ１      第１指袋
Ｆ２      第２指袋
Ｆ３      第３指袋
Ｆ４      第４指袋
Ｆ５      第５指袋
Ｔ        楔部
Ｔ１      底辺
Ｔ２      鋭角の頂点
Ｍ、Ｍ１        リンキングライン
ＦＢ      付根部
Ｚ        ツマミ（縫合部）
Ｎ        第１編目ライン
Ｎ２      第２編目ライン
【図１】
0006545044.tif 000002
【図２Ａ】
0006545044.tif 000003
【図２Ｂ】
0006545044.tif 000004
【図３Ａ】
0006545044.tif 000005
【図３Ｂ】
0006545044.tif 000006
【図４】
0006545044.tif 000007
【図５】
0006545044.tif 000008